(57)【要約】【課題】立ち上り性能が高く、ランニングコストが安く、施工性が良く、操作性の高いサウナシステムを提供することを目的とする。【解決手段】加湿部２と加湿部２を制御するサウナ側制御部１６を設けたサウナ装置１０と、循環用送風手段１２と加熱手段１３および乾燥機側制御部１７とを設けた浴室乾燥機１５とを備え、サウナ側制御部１６と乾燥機側制御部１７を介してサウナ装置１０と浴室乾燥機１５を電気的に接続することにより、サウナ運転時には、加熱能力を高めて立ち上がり時間を短縮できるとともに、ランニングコスト低減したサウナシステムが得られる。【選択図】図１
2005152097.tif 000002
【特許請求の範囲】
【請求項１】
浴室の空気を加湿する加湿部と、この加湿部を制御するサウナ側制御部とを設けたサウナ装置と、浴室の空気を循環する循環送風手段と、この循環送風手段の空気流路内の空気を加熱する加熱手段とを制御する乾燥機側制御部を設けた浴室乾燥機とを備え、前記サウナ側制御部と前記乾燥機側制御部を介して前記サウナ装置と前記浴室乾燥機を電気的に接続したサウナシステム。
【請求項２】
サウナ側制御部に接続される送信部と受信部で形成されたサウナ側送受信手段と、乾燥機側制御部に接続される送信部と受信部により形成された乾燥機側送受信手段とを備え、前記サウナ側送受信手段と前記乾燥機側送受信手段を介してサウナ装置と浴室乾燥機とがワイヤレス通信ができるように構成した請求項１記載のサウナシステム。
【請求項３】
浴室乾燥機が乾燥モードで運転されるときに、乾燥機側制御部からサウナ側制御部に送られた信号によりサウナ装置に設けた送風機が運転される構成とした請求項１記載のサウナシステム。
【請求項４】
乾燥機側制御部またはサウナ側制御部がリモコン操作部からの信号を受けて作動し、浴室乾燥機およびサウナ装置の２つの装置を１つのリモコン操作部により操作できる構成とした請求項１記載のサウナシステム。
【請求項５】
浴室乾燥機に電気的に接続される熱源となるボイラーと、このボイラーに設けられるボイラー側制御部と、このボイラー側制御部に信号を送るボイラーリモコン操作部とを備え、前記ボイラーリモコン操作部からの信号を前記ボイラー側制御部を介し、乾燥機側制御部およびサウナ側制御部に送り、前記浴室乾燥機およびサウナ装置を前記ボイラーリモコン操作部により操作できる構成とした請求項１記載のサウナシステム。
【請求項６】
サウナシステムを操作するサウナシステムリモコンと浴室乾燥機に電気的に接続される熱源となるボイラーと、このボイラーを操作するボイラーリモコン操作部とを備え、前記ボイラーリモコン操作部により前記サウナシステムの運転停止操作のできる構成とした請求項１または５記載のサウナシステム。
【請求項７】
サウナ装置の運転時にサウナ側制御部から乾燥機側制御部に送られた信号により前記乾燥機側制御部を介して浴室乾燥機の換気手段を微小の風量で換気させる構成とした請求項１記載のサウナシステム。
【請求項８】
サウナ装置の運転開始時に、乾燥機側制御部を介して加熱手段および循環送風手段を作動して浴室乾燥機で暖房を行ない浴室の壁面を暖めたのち、サウナ側制御部を介し加湿部を作動してサウナ装置を運転する構成とした請求項１または２記載のサウナシステム。
【請求項９】
浴室内にシャワー側制御部を介して温水供給手段を設けたシャワー装置を設け、前記シャワー側制御部とサウナ側制御部を電気的に接続して前記シャワー装置とサウナ装置を連動させ、サウナ運転開始時に前記温水供給手段から一定時間温水を吹き出させ、その後前記サウナ装置により加湿を行なう構成とした請求項１記載のサウナシステム。
【請求項１０】
サウナ運転開始時に温水供給手段から一定時間温水を吹き出させ、その後、サウナ装置により加湿を行なうとともに浴室乾燥機により加湿を行なう構成とした請求項９記載のサウナシステム。
【請求項１１】
浴室内の温度を検知する温水センサーを備え、前記温度センサーが所定の温度条件を認識した場合に、サウナ装置の加湿部を作動して加湿運転をする構成とした請求項８記載のサウナシステム。
【発明の詳細な説明】
【技術分野】
【０００１】
本発明は、浴室にサウナ装置と浴室乾燥機を設置したサウナシステムに関する。
【背景技術】
【０００２】
従来、この種のサウナ装置の一例として浴室を利用してサウナと衣類等の乾燥を行なうものが知られている（例えば特許文献１参照）。
【０００３】
以下、そのサウナ装置について図１２および図１３を参照しながら説明する。
【０００４】
図に示すように、外装体１０１の内部に複数の湯噴出口１０２を有する噴出湯管１０３が上部に配置され、噴出湯管１０３の下部に複数の薄板１０４とパイプ状の連結部材１０５で形成される熱交換促進部材１０６が配置され、さらにその下部にファンユニット１０７が配置されている。
【０００５】
そして、湯噴出口１０２から熱交換促進部材１０６上に噴出された温水の一部が蒸発して発生する水蒸気を、ファンユニット１０７によって空気吸入口１０８から吸引された空気に供給し、スチーム吹出口１０９に集められた外部へ排出していたサウナ装置１１０を浴室１１１の壁部に設け、浴室１１１の天井に換気扇１１２を設け、衣類等を乾燥するときには、サウナ装置１１０において、加湿することなく加湿のみを行ない浴室１１１内を暖房するとともに、換気扇１１２を運転して衣類を乾燥していた。
【特許文献１】特開平６−６３１０３号公報（［００１４］〜［００２３］、図２、図３）
【発明の開示】
【発明が解決しようとする課題】
【０００６】
このような従来のサウナ装置では、サウナ空間を創り出すのにサウナ装置１１０のみを使用しているため、サウナ空間を効率的に創出できず、特に、温水状態を形成する立ち上がり性が悪いという課題があった。
【０００７】
また、衣類を乾燥するときにはサウナ装置１１０と換気扇１１２の両方の装置を同時に運転しなければならないためランニングコストが高くなるという課題があった。
【０００８】
また、サウナ装置１１０と換気扇１１２を浴室１１１の壁部と天井の離れた２筒所に設ける必要があるため、、設置時の施工性や、電気的接続も困難で施工性が悪いという課題があった。
【０００９】
また、サウナ装置１１０と換気扇１１２がリモコン操作ができなく、不便で操作性が悪いという課題があった。
【００１０】
本発明は、上記課題を解決するもので、立ち上がり性が良好で、ランニングコストが安く、施工性が良く、操作性が高められるとともに、サウナ装置停止時の細菌および真菌の繁殖を抑制することのできるサウナシステムを提供できることを目的としている。
【課題を解決するための手段】
【００１１】
本発明のサウナシステムは、上記目的を達成するために、浴室の空気を加湿する加湿部と、この加湿部を制御するサウナ側制御部を設けたサウナ装置と、浴室の空気を循環送風手段と、この循環送風手段の空気流路内の空気を加熱する加熱手段とを制御する乾燥機側制御部を設けた浴室乾燥機とを備え、前記サウナ側制御部と前記乾燥機側制御部を介して前記サウナ装置と前記浴室乾燥機を電気的に接続したものである。
【００１２】
この手段によりサウナ室状態になる立ち上がり性が良好で、ランニングコストが安く、施工性の良いサウナシステムが得られる。
【００１３】
また、他の手段は、サウナ側制御部に接続される送信部と受信部で形成されたサウナ側送受信手段と、乾燥機側制御部に接続される送信部と受信部により形成された乾燥機側送受信手段とを備え、前記サウナ側送受信手段と前記乾燥機側送受信手段を介してサウナ装置と浴室乾燥機とがワイヤレス通信ができるように構成したものである。
【００１４】
この手段によりサウナ装置と浴室乾燥機の電気的接続が容易となり施工性の良いサウナシステムが得られる。
【００１５】
また、他の手段は、浴室乾燥機が乾燥モードで運転されるときに乾燥機側制御部からサウナ側制御部に送られた信号によりサウナ装置に設けた送風機が運転される構成としたものである。
【００１６】
この手段により、サウナ装置停止時の細菌および真菌の繁殖を抑制することができる。
【００１７】
また、他の手段は、乾燥機側制御部または、サウナ側制御部がリモコン操作部からの信号を受けて作動し、浴室乾燥機およびサウナ装置の２つの装置を１つのリモコン操作部により操作できる構成としたものである。
【００１８】
この手段により、操作が簡単にでき、施工性が向上し、コストおよび梱包容積の削減を図ることのできるサウナシステムが得られる。
【００１９】
また、他の手段は、浴室乾燥機に電気的に接続されるボイラーと、このボイラーを操作するボイラーリモコン操作部とを備え、前記ボイラーリモコン操作部を用いてサウナ装置を操作できる構成としたものである。
【００２０】
この手段により、浴室からの操作が簡単にでき、施工性が向上し、コストおよび梱包容積の削減を図ることのできるサウナシステムが得られる。
【００２１】
また、他の手段は、サウナシステムを操作するサウナシステムリモコンと、浴室乾燥機に電気的に接続されるボイラーと、このボイラーを操作するボイラーリモコン操作部とを備え、前記ボイラーリモコン操作部によりサウナシステムの運転、停止の操作ができる構成としたものである。
【００２２】
この手段により、操作性の悪さが解消され便利となるとともに、コスト削減を図ることのできるサウナシステムが得られる。
【００２３】
また、他の手段は、サウナ運転時に微小の風量で換気を行なう構成としたものである。
【００２４】
この手段により、脱衣室への湿気もれを防ぎ、脱衣室壁面への結露を防止でき、また、サウナ浴中の酸欠を防ぐことのできるサウナシステムが得られる。
【００２５】
また、他の手段は、サウナ運転開始時に、浴室乾燥機で暖房運転を行ない浴室の壁面を暖めたのちにサウナ装置で加湿を行なう構成としたものである。
【００２６】
この手段により、浴室の壁、天井、床面の結露を防止でき、ランニングコストの削減および立ち上がり時間の短縮を図ることのできるサウナシステムが得られる。
【００２７】
また、他の手段は、サウナシステムと浴室内に設けられるシャワーの制御部を連動させ、サウナ運転開始時にシャワーから一定時間温水を吹出させ、その後、サウナ装置から加湿を行なう構成としたものである。
【００２８】
この手段により、立ち上がり時間の短縮を図ることができるサウナシステムが得られる。
【００２９】
また、他の手段は、サウナ運転開始時にシャワーから一定時間温水を吹出させ、その後、サウナ装置から加湿を行なうとともに、浴室乾燥機により加温を行なう構成としたものである。
【００３０】
この手段により、より立ち上がり時間の短縮を図ることができる。
【００３１】
また、他の手段は、浴室内の温度を検知する温度センサーが所定の温度条件を認識した場合に、サウナ装置の加湿部を作動して加湿運転をする構成としたものである。
【００３２】
この手段により、浴室の壁面の結露を防止でき、効率のよいサウナ運転ができるサウナシステムが得られる。
【発明の効果】
【００３３】
本発明によれば、ランニングコストが安く、加湿部および浴室内のカビや菌の繁殖が抑えられ、浴室および装置を衛生的に維持できるサウナシステムを提供できる。
【００３４】
また、設置時の施工性の向上を図ることのできるサウナシステムを提供できる。
【００３５】
また、操作が簡単でコストおよび梱包容積の削減を図ることのできるサウナシステムを提供できる。
【００３６】
また、脱衣室壁面への結露を防止でき、また、サウナ浴中の酸欠を防ぐことのできるサウナシステムを提供できる。
【００３７】
また、ランニングコストの削減および立ち上がり時間の短縮を図ることのできるサウナシステムを提供できる。
【発明を実施するための最良の形態】
【００３８】
本発明の請求項１記載の発明は、浴室の空気を加湿する加湿部と、この加湿部を制御するサウナ側制御部とを設けたサウナ装置と、浴室の空気を循環する循環送風手段と、この循環送風手段の空気流路内の空気を加熱する加熱手段とを制御する乾燥機側制御部を設けた浴室乾燥機とを備え、前記サウナ側制御部と前記乾燥機側制御部を介して前記サウナ装置と前記浴室乾燥機を電気的に接続したものであり、サウナ室状態になる立ち上がり性が向上し、ランニングコストが安く、施工性が高められるという作用を有する。
【００３９】
また、請求項２記載の発明は、サウナ側制御部に接続される送信部と受信部で形成されたサウナ側送受信手段と、乾燥機側制御部に接続される送信部と受信部により形成された乾燥機側送受信手段とを備え、前記サウナ側送受信手段と前記乾燥機側送受信手段を介してサウナ装置と浴室乾燥機とがワイヤレス通信ができるように構成したものであり、サウナ装置と浴室乾燥機の電気的接続が有線を持って接続する必要がなくなり、施工性が高められるという作用を有する。
【００４０】
また、請求項３記載の発明は、浴室乾燥機が乾燥モードで運転されるときに、乾燥機側制御部からサウナ側制御部に送られた信号によりサウナ装置に設けた送風機が運転される構成としたものであり、サウナ装置の加湿をしない状態で送風機により送風されることにより、加湿部、送風路内、水回路内が乾燥され、サウナ装置停止時の細菌および真菌の繁殖を抑制できるという作用を有する。
【００４１】
また、請求項４記載の発明は、乾燥機側制御部またはサウナ側制御部がリモコン操作部からの信号を受けて作動し、浴室乾燥機およびサウナ装置の２つの装置を１つのリモコン操作部により操作できる構成としたものであり、浴室乾燥機を操作するリモコン操作部とサウナ装置を操作するリモコン操作部と、２つのリモコン操作部を用いて操作する場合には操作が複雑となるが、１つのリモコンとすることにより簡単に操作することができ、施工性の向上、梱包容積の削減という作用を有する。
【００４２】
また、請求項５記載の発明は、浴室乾燥機に電気的に接続される熱源となるボイラーと、このボイラーに設けられるボイラー側制御部と、このボイラー側制御部に信号を送るボイラーリモコン操作部とを備え、前記ボイラーリモコン操作部からの信号を前記ボイラー側制御部を介し、乾燥機側制御部およびサウナ側制御部に送り、前記浴室乾燥機およびサウナ装置を前記ボイラーリモコン操作部により操作できる構成としたものであり、ボイラーリモコン操作部がある場合に、サウナ装置を運転するために浴室まで行かなくても運転が可能となり、操作性が向上するとともに、ワンリモコンによるコストメリットおよび梱包容積を削減できるという作用を有する。
【００４３】
また、請求項６記載の発明は、サウナシステムを操作するサウナシステムリモコンと、浴室乾燥機に電気的に接続される熱源となるボイラーと、このボイラーを操作するボイラーリモコン操作部とを備え、前記ボイラーリモコン操作部により前記サウナシステムの運転、停止操作のできる構成としたものであり、設置場所の制限でサウナシステムのリモコンが浴室内にない場合でも浴室内にあるボイラーリモコン操作部によりサウナ運転の運転、停止操作が可能となり、サウナシステムの操作のために浴室外に出なければならない操作性の悪さを解消できるという作用を有する。
【００４４】
また、請求項７記載の発明は、サウナ装置の運転時にサウナ側制御部から乾燥機側制御部に送られた信号により前記乾燥機側制御部を介して浴室乾燥機の換気手段を微小の風量で換気させる構成としたことにより、浴室が負圧となり、脱衣室への湿気もれを防ぎ、脱衣室壁面等の結露を防ぐとともに、サウナ浴中の酸欠を防ぐという作用を有する。
【００４５】
また、請求項８記載の発明は、サウナ装置の運転開始時に、乾燥機側制御部を介して加熱手段および循環送風手段を作動して、浴室乾燥機で暖房を行ない浴室の壁面を暖めたのち、サウナ側制御部を介して加湿部を作動してサウナ装置を運転する構成としたものであり、浴室の壁、天井、床面への結露を防止することができ、また、壁面への結露を防ぐことで加湿した空気が有効に浴室内の空気の湿度を上昇させることができ、また、ランニングコストの削減を図ることができ、また、立ち上がり時間の短縮を図ることができるという作用を有する。
【００４６】
また、請求項９記載の発明は、浴室内にシャワー側制御部を介して温水供給手段を設けたシャワー装置を設け、前記シャワー側制御部とサウナ側制御部を電気的に接続して前記シャワー装置とサウナ装置を連動させ、サウナ運転開始時に前記温水供給手段から一定時間温水を吹き出させ、その後前記サウナ装置により加湿を行なう構成としたものであり、温水シャワーで浴室の床面を暖め、ある程度水蒸気を発生させた状態から、サウナ装置で加湿を行なうことによりサウナ浴の立ち上がり時間を短縮することができるという作用を有する。
【００４７】
また、請求項１０記載の発明は、請求項９のサウナシステムについて、サウナ運転開始時に温水供給手段から一定時間温水を吹き出させ、その後サウナ装置により加湿を行なうとともに、浴室乾燥機により加湿を行なう構成としたものであり、サウナ浴の立ち上がり時間をさらに短縮することができるという作用を有する。
【００４８】
また、請求項１１記載の発明は、請求項８記載のサウナシステムについて、浴室内の温度を検知する温水センサーを備え、前記温度センサーが所定の温度条件を認識した場合に、サウナ装置の加湿部を作動して加湿運転をする構成としたものであり、浴室内が適切な温度となったときに、加湿部を作動して加湿を行なうことができるので、浴室の壁面の結露を防止でき、短時間でサウナ効果が得られる効率のよいサウナ運転を行なえるという作用を有する。
【００４９】
以下、本発明の実施形態について図面を参照しながら説明する。
【００５０】
（実施の形態１）
図１〜図３に示すように、空気を加熱加湿するように水蒸気透過性を有する透湿膜１を設けた加湿部２と、この加湿部２内に設けられた透湿膜１の一方側に空気を供給する送風機３と、加湿部２内に設けられる透湿膜１の他方側に温水を循環供給する加湿温水回路４と、この加湿温水回路４内部の温水を循環させる温水循環手段５と、熱源となるボイラー６から供給される熱と熱交換して加湿温水回路４内部の温水を加熱する熱交換器７と、水または温水を貯水する貯水部８と加湿温水回路４、貯水部８、温水循環手段５、加湿部２、熱交換機７内に貯水する水または温水を排水する排水開閉手段９とを設け、送風機３により供給された空気に加湿温水回路４より供給された温水から透湿膜１を介して水蒸気を供給し、加熱加湿空気を吹き出すようにサウナ装置１０を構成する。
【００５１】
また、ボイラー６と接続された暖房用熱交換器１１と循環送風手段１２で形成される加熱手段１３と換気手段１４を設け浴室乾燥機１５を構成する。
【００５２】
そして、サウナ装置１０に加湿部２等を制御するサウナ側制御部１６を設け、浴室乾燥機１５には循環送風手段１２と加熱手段１３を制御する乾燥機側制御部１７を設け、サウナ側制御部１６と乾燥機側制御部１７を電気的に接続し、サウナ装置１１０と浴室乾燥機１５はサウナ制御部１６と乾燥機側制御部１７を介して電気的に接続されるように構成する。
【００５３】
上記構成において、サウナ装置１０は浴室１８の天井に設置され、浴室１８には加熱加湿空気が供給される開口（図示せず）を設け、浴室乾燥機１５も浴室１８の天井に設置されたサウナ装置１０の近傍に設置され、浴室１８には浴室１８内の空気を循環する開口および換気用の開口を設けて設置し、サウナ装置１０のサウナ側制御部１６と浴室乾燥機１５の乾燥機側制御部１７を電気的に接続する。
【００５４】
そして、サウナ浴を受けるときには、サウナ側制御部１６を介して運転し、サウナ装置１０から加熱加湿空気を浴室１８内に送りサウナ浴が行なわれる。このとき、サウナ側制御部１６から乾燥機側制御部１７に浴室乾燥機１５が暖房運転を行なうように信号が送られ、浴室乾燥機１５は、加熱手段１３と循環送風手段１２を運転させて加湿を行なうことで、立ち上がり時間が短縮することになる。
【００５５】
次に衣類等を乾燥するときには、乾燥機側制御部１７を介して浴室乾燥機１５を運転すると、浴室１８内に吊り下げられた衣類等に加熱手段１３により加熱され循環送風手段１２により送られた温風が接触して衣類の乾燥が行なわれるとともに、湿分を含む空気が換気手段に１４より屋外に排出される。このとき、乾燥機側制御部１７からサウナ側制御部１６にサウナ装置１０の運転を停止するように信号が送られサウナ装置１０の運転は停止された状態となる。
【００５６】
そして、サウナ装置１０と浴室乾燥機１５は浴室１８の天井の一面に配設されることにより施工性も良く、衣類等を乾燥するときには、浴室乾燥機１５のみを運転すれば良いのでランニングコストも安くなるとともに、サウナ装置１０と浴室乾燥機１５はサウナ側制御部１６と乾燥機側制御部１７との電気的な接続によりサウナ装置１０と浴室乾燥機１５との間で互いに通信できることとなり、効率良く運転をすることができることとなる。
【００５７】
なお、実施の形態１では、サウナ装置１０と浴室乾燥機１５が分離したものをサウナシステムとしたが一つの箱体内にサウナ装置１０と浴室乾燥機１５が一体的に設けても同様の作用効果をもたらすことはいうまでもない。
【００５８】
また、サウナ装置１０として透湿膜１を用いたもので説明したが、透湿膜１を使用していないサウナ装置でも本発明と同様の作用効果をもたらすことはいうまでもない。
【００５９】
（実施の形態２）
図４に示すように、サウナ側制御部１６Ａと接続される送信部１９と受信部２０で形成されたサウナ側送信手段２１と、乾燥機側制御部１７Ａに接続される送信部１９Ａと受信部２０Ａにより形成された乾燥機側送受信手段２２とを設け、サウナ側送受信手段２１と乾燥機側送受信手段２２を介してサウナ装置１０Ａと浴室乾燥機１５Ａをワイヤレス通信できるように構成する。
【００６０】
上記構成において、サウナ装置１０Ａと浴室乾燥機１５Ａを設置するときには、サウナ側制御部１６Ａと接続されたサウナ側送受信手段２１と、乾燥機側制御部１７Ａと接続された乾燥機側送受信手段２２によりワイヤレス通信が行なわれることにより、有線による電気的接続を行なう必要がなくなり施工性が高められることとなる。
【００６１】
（実施の形態３）
図５に示すように、浴室乾燥機１５Ｂが乾燥モードで運転されるときに、乾燥機側制御部１７Ｂからサウナ側制御部１６Ｂに送られた信号によりサウナ装置１０Ｂの送風機３Ａが運転される構成とする。
【００６２】
上記構成において、浴室乾燥機１５Ｂが運転開始と同時または、吸込温度センサー（図示せず）にて温度上昇を確認後、または、一定時間経過後に、サウナ側制御部１６Ｂに信号が送られ、加湿が行なわれない状態で送風機３Ａのみが運転を開始し、浴室乾燥機１５Ｂからの熱をもらいサウナ装置１０Ｂの加湿部２、送風路内、水回路内の乾燥が行なわれ、サウナ装置１０Ｂの停止時の細菌および真菌の繁殖を抑制することができる。
【００６３】
（実施の形態４）
図６に示すように、乾燥機側制御部１７Ｃまたはサウナ側制御部１６Ｃをリモコン操作部２３からの信号を受けて作動するように設け、浴室乾燥機１５Ｃおよびサウナ装置１０Ｃの２つの装置を１つのリモコン操作部２３により操作できるように構成する。
【００６４】
上記構成において、浴室乾燥機１５Ｃに受信部（図示せず）を設けた場合には、ワイヤレスリモコンであるリモコン操作部２３からの操作信号を浴室乾燥機１５Ｃが受けて乾燥機側制御部１７Ｃを介して浴室乾燥機１５Ｃが運転されるとともに、乾燥機側制御部１７Ｃからサウナ側制御部１６Ｃに信号が送られサウナ装置１０Ｃの運転は停止する。
【００６５】
また、リモコン操作部２３からの通信情報によりサウナ装置１０Ｃを運転し、浴室乾燥機１５Ｃ側の運転を停止することもできるものである。
【００６６】
また、サウナ装置１０Ｃ側に受信部を設けリモコン操作部２３からの操作信号を受けるようにしても良いものであり、浴室乾燥機１５Ｃ用と、サウナ装置１０Ｃ用に別々にリモコンを用いた場合と比較して１つのリモコン操作部２３を用いることにより、複雑な操作がなくなり操作を簡単に行なうことができる。
【００６７】
（実施の形態５）
図７に示すように、浴室乾燥機１５Ｄに電気的に接続される熱源となるボイラー２４と、このボイラー２４に設けられるボイラー側制御部２５と、このボイラー側制御部２５に浴室乾燥機１５Ｄの加熱手段１３およびサウナ装置１０Ｄの加湿部２に温水を送る温水循環手段５を制御するように設け、ボイラー側制御部２５に操作信号を送るボイラーリモコン操作部２６とを設け、ボイラーリモコン操作部２６からの信号をボイラー側制御部２５を介し、乾燥機側制御部１７Ｄおよびサウナ側制御部１６Ｄに送り浴室乾燥機１５Ｄおよびサウナ装置１０Ｄをボイラーリモコン操作部２６により操作できる構成とする。
【００６８】
上記構成において、ボイラーリモコン操作部２６を操作してボイラー側制御部２５に信号を送り、ボイラーリモコン操作部２６からの信号が浴室乾燥機１５Ｄを運転する信号であれば、ボイラー２４が運転されるとともに、乾燥機側制御部１７Ｄを介して浴室乾燥機１５Ｄが運転され、乾燥機側制御部１７Ｄよりサウナ側制御部１６Ｄにサウナ装置１０Ｄの運転を停止する信号が送られてサウナ装置１０Ｄの運転は停止される。
【００６９】
また、ボイラーリモコン操作部２６からの信号がサウナ装置１０Ｄを運転する信号である場合には、サウナ側制御部１６Ｄを介してサウナ装置１０Ｄが運転されるとともに、サウナ側制御部１６Ｄから乾燥機側制御部１７Ｄに浴室乾燥機１５Ｄの運転を停止する信号が送られ、浴室乾燥機１５Ｄの運転は停止されることとなり、ボイラーリモコン操作部２６が近くにある場合には、サウナ装置１０Ｄまたは浴室乾燥機１５Ｄの運転をするために浴室まで行かなくても運転が可能となり、操作性が向上するとともに、ワンリモコンによるコストメリットおよび梱包容積を削減することができる。
【００７０】
（実施の形態６）
図８に示すように、サウナシステムを操作するサウナシステムリモコン２７と、浴室乾燥機１５Ｅに電気的に接続される熱源となるボイラー２４Ａと、このボイラー２４Ａを操作するボイラーリモコン操作部２６Ａとを設け、前記ボイラーリモコン操作部２６Ａによりサウナシステムの運転、停止操作のできる構成とする。
【００７１】
上記構成において、サウナシステムに設けられるサウナ装置１０Ｅのサウナ側制御部１６Ｅと、浴室乾燥機１５Ｅの乾燥機側制御部１７Ｅおよび、ボイラー２４Ａのボイラー側制御部２５Ａは、電気的に連動するように接続されていることにより、ボイラーリモコン操作部２６Ａの操作により、ボイラー側制御部２５Ａと乾燥機側制御部１７Ｅおよび、サウナ側制御部１６Ｅを介し、ボイラー２４Ａと浴室乾燥機１５Ｅおよびサウナ装置１０Ｅの運転、停止を行なうことができ、設置場所の制限でサウナシステムを操作するサウナシステムリモコン２７が浴室にない場合でも浴室にあるボイラーリモコン操作部２６Ａによりサウナ装置１０Ｅ、浴室乾燥機１５Ｅ等の操作が可能となり、サウナシステムの操作のために浴室外に出てサウナシステムリモコン２７を操作するという操作性の悪さが解消される。また、サウナシステムリモコン２７の操作は複雑となるがボイラーリモコン操作部２６Ａの操作は簡単で操作性を向上することができ、また、サウナシステムリモコン２７よりボイラーリモコン操作部２６Ａは安価に設置することができるのでコスト的なメリットもある。
【００７２】
なお、本実施の形態では、サウナシステムリモコン２７と乾燥機側制御部１７Ｅを接続したものを説明しているが、サウナシステムリモコン２７とサウナ側制御部１６Ｅを接続する構成としても同様の作用効果を奏するものである。
【００７３】
（実施の形態７）
図９に示すように、サウナ装置１０Ｆの運転時にサウナ側制御部１６Ｆから乾燥機側制御部１７Ｆに送られた信号により乾燥機側制御部１７Ｆを介して浴室乾燥機１５Ｅの換気手段１４Ａにより微小の風量で換気させるように構成する。
【００７４】
上記構成において、リモコン操作部２３でサウナ側制御部１６Ｆを介しサウナ装置１０Ｆの運転を開始し、サウナ装置１０Ｆの運転開始と同時、または、一定時間経過後に、乾燥機側制御部１７Ｆを介して浴室乾燥機１５Ｅで微小の風量で換気を行ない、タイマー（図示せず）によりサウナ装置１０Ｆの運転を停止、またはリモコン操作部２３のリモコン操作によりサウナ装置１０Ｆの運転を停止、換気手段１４Ａによる微小の風量の換気を継続して行ない、一定時間経過後に換気手段１４Ａの運転を停止する。
【００７５】
また、サウナ装置１０Ｆまたは、浴室乾燥機１５Ｅに組み込んだ温度センサー（図示せず）によりある温度条件以上を認識したら連動している浴室乾燥機１５Ｅで微小の風量の換気を行ない、ある温度条件以下を認識したら浴室乾燥機１５Ｅの換気手段１４Ａによる微小の風量の換気の運転を停止する。このとき、微小の風量の換気を停止させ温度条件にならずにタイマーによるサウナ運転停止、または、リモコン操作部２３によるサウナ運転停止となった場合も継続して微笑の風量の換気を行ない、ある温度条件以下を認識したら微小の風量の換気運転を停止させる。
【００７６】
また、湿度センサーを用いた場合には、リモコン操作部２３でサウナ側制御部１６Ｆを介しサウナ装置１０Ｆの運転を開始し、サウナ装置１０Ｆまたは浴室乾燥機１５Ｅに組み込んだ湿度センサー（図示せず）によりある湿度条件以上を認識した場合には連動している浴室乾燥機１５Ｅの換気手段１４Ａで微小の風量の換気を行ない、ある湿度条件以下を認識したら微小の風量の換気運転を停止させる。
【００７７】
また、微小の風量の換気を停止させる湿度条件にならずタイマーによるサウナ運転停止または、リモコン操作部２３によるサウナ運転停止となった場合も継続して微笑の風量の換気を行ない、ある湿度条件以下を認識したら微小の風量の換気運転を停止させるように設けることにより、サウナ運転時に浴室乾燥機１５Ｅの微小換気により浴室が負圧となり、浴室の隣にある脱衣室へ浴室の湿気がもれることがなくなり、脱衣室壁面等の結露が防止されカビ等の発生を防止でき、また、サウナ浴中に酸欠になるのが防止できることになる。
【００７８】
（実施の形態８）
図１０に示すように、サウナ装置１０Ｇの運転開始時に、乾燥機側制御部１７Ｇを介して浴室乾燥機１５Ｆの加熱手段１３Ａおよび循環送風手段１２Ａを作動し、浴室乾燥機１５Ｆで暖房を行ない浴室の壁面を暖めたのち、サウナ側制御部１６Ｇを介し加湿部２Ａを作動し、サウナ装置１０Ｇを運転する構成とする。
【００７９】
上記構成において、リモコン操作部２３の操作によりサウナ装置１０Ｇの運転が開始され、サウナ運転開始と同時に連動している浴室乾燥機１５Ｆが暖房運転を行ない、浴室乾燥機１５Ｆまたは、サウナ装置１０Ｇに組み込んだ温度センサー（図示せず）により温度条件以上を認識したら、連動しているサウナ装置１０Ｇで加湿運転を行なうことにより、浴室の壁、天井、床面への結露が防止でき、また、壁面の結露を防止することで加湿した空気が有効に浴室内の空気の温度を上昇させることができ、ランニングコストを削減することができるとともに、立ち上り時間を短縮することができる。
【００８０】
（実施の形態９）
図１１に示すように、浴室内にシャワー側制御部２８を介してシャワーを形成する温水供給手段２９を設けた浴室内のシャワー装置３０を設け、シャワー側制御部２８とサウナ側制御部１６Ｈとを電気的に接続して浴室内シャワー装置３０とサウナ装置１０Ｈを連動させ、サウナ運転開始時に浴室内シャワー装置３０の温水供給手段２９から一定時間温水を吹き出させ、その後、サウナ装置１０Ｈにより加温加湿を行なう構成とする。
【００８１】
上記構成において、リモコン操作部２３により、サウナ運転を開始し、サウナ運転開始と同時に連動している浴室内のシャワー装置３０から一定時間温水を吹出させ、一定時間経過後に浴室何のシャワー装置３０を停止させ、サウナ装置１０Ｈで加湿運転を行ない、および、または、浴室乾燥機１５Ｇで暖房運転を行ない、タイマー等による運転停止またはリモコン操作によるサウナ運転停止で、サウナ装置１０Ｈによる加湿および浴室乾燥機１５Ｇの暖房運転を停止する。
【００８２】
また、リモコン操作部２３によりサウナ運転を開始し、サウナ運転開始と同時にサウナ装置１０Ｈのノズルから一定時間温水を吹き出し、一定時間経過後ノズルからの温水吹出しを停止させ浴室乾燥機１５Ｇで暖房運転を行ない、さらに一定時間経過後、サウナ装置１０Ｈで加湿運転を開始し、および、または、浴室乾燥機１５Ｇは暖房運転を行ないタイマーによるサウナ運転停止、またはリモコン操作によるサウナ運転停止で、サウナ装置１０Ｈの加湿、浴室乾燥機１５Ｇの暖房運転を停止させるようにしても良く、浴室にある程度水蒸気を発生させた状態でサウナ装置１０Ｈにより加湿を行なうことで立ち上り時間を短縮させることができる。
【産業上の利用可能性】
【００８３】
サウナ装置と換気扇等を組み合わせることにより、ある程度の湿気を必要とする野菜等の栽培や、きのこ類の栽培分野等にも適用できる。
【図面の簡単な説明】
【００８４】
【図１】本発明の実施の形態１のサウナシステムの構成を示すブロック図
【図２】同サウナシステムの設置状態を示す概略断面図
【図３】同サウナシステムの加湿部の構成を示す断面図
【図４】本発明の実施の形態２のサウナシステムの構成を示すブロック図
【図５】本発明の実施の形態３のサウナシステムの構成を示すブロック図
【図６】本発明の実施の形態４のサウナシステムの構成を示すブロック図
【図７】本発明の実施の形態５のサウナシステムの構成を示すブロック図
【図８】本発明の実施の形態６のサウナシステムの構成を示すブロック図
【図９】本発明の実施の形態７のサウナシステムの構成を示すブロック図
【図１０】本発明の実施の形態８のサウナシステムの構成を示すブロック図
【図１１】本発明の実施の形態９のサウナシステムの構成を示すブロック図
【図１２】従来のスチームサウナ装置の設置状態を示す斜視図
【図１３】同スチームサウナ装置の断面図
【符号の説明】
【００８５】
２    加湿部
２Ａ  加湿部
３Ａ  送風機
１０  サウナ装置
１０Ａ  サウナ装置
１０Ｂ  サウナ装置
１０Ｃ  サウナ装置
１０Ｄ  サウナ装置
１０Ｆ  サウナ装置
１０Ｇ  サウナ装置
１０Ｈ  サウナ装置
１２  循環送風手段
１２Ａ  循環送風手段
１３  加熱手段
１３Ａ  加熱手段
１４Ａ  換気手段
１５  浴室乾燥機
１５Ａ  浴室乾燥機
１５Ｂ  浴室乾燥機
１５Ｃ  浴室乾燥機
１５Ｄ  浴室乾燥機
１５Ｅ  浴室乾燥機
１６  サウナ側制御部
１６Ａ  サウナ側制御部
１６Ｂ  サウナ側制御部
１６Ｃ  サウナ側制御部
１６Ｄ  サウナ側制御部
１６Ｆ  サウナ側制御部
１６Ｇ  サウナ側制御部
１６Ｈ  サウナ側制御部
１７  乾燥機側制御部
１７Ａ  乾燥機側制御部
１７Ｂ  乾燥機側制御部
１７Ｃ  乾燥機側制御部
１７Ｄ  乾燥機側制御部
１７Ｆ  乾燥機側制御部
１７Ｇ  乾燥機側制御部
１８  浴室
２１  サウナ側送受信手段
２２  乾燥機側送受信手段
２３  リモコン操作部
２４  ボイラー
２４Ａ  ボイラー
２５  ボイラー側制御部
２６  ボイラーリモコン操作部
２６Ａ  ボイラーリモコン操作部
２７  サウナシステムリモコン
２８  シャワー側制御部
２９  温水供給手段
３０  シャワー装置
【図１】
2005152097.tif 000003
【図２】
2005152097.tif 000004
【図３】
2005152097.tif 000005
【図４】
2005152097.tif 000006
【図５】
2005152097.tif 000007
【図６】
2005152097.tif 000008
【図７】
2005152097.tif 000009
【図８】
2005152097.tif 000010
【図９】
2005152097.tif 000011
【図１０】
2005152097.tif 000012
【図１１】
2005152097.tif 000013
【図１２】
2005152097.tif 000014
【図１３】
2005152097.tif 000015